【手続補正書】
【提出日】平成19年8月26日(2007.8.26)
【手続補正１】
【補正対象書類名】特許請求の範囲
【補正対象項目名】全文
【補正方法】変更
【補正の内容】
【特許請求の範囲】
【請求項１】
作業空間内に配置され、ハイブリッドピア・ツー・ピアネットワークによる通信を行うワークスペースピアまたはサービスピアとなる機器を検出する連携対象検出手段と、
同一時間帯かつ同一作業空間内に存在すると認識されるサービスを検出するサービス検索手段と、
同一時間帯かつ同一作業空間内に存在すると認識されるワークスペースを検出するワークスペース検索手段と、
前記ワークスペース検出手段によって検出されたワークスペースを統合して協調作業空間を形成すると共に、該協調作業空間、および、該協調作業空間上で利用されるコンテンツに対して、前記サービス検索手段によって検出されたサービスを連携して利用可能にする協調作業空間形成手段とを備えることを特徴とする共同作業空間形成装置。
【請求項２】
ハイブリッドピア・ツー・ピアネットワークによる通信を行うワークスペースピアまたはサービスピアの検出情報を取得するステップ、
同一時間帯かつ同一作業空間内に存在すると認識されるサービスを検出するサービス検索ステップ、
同一時間帯かつ同一作業空間内に存在すると認識されるワークスペースを検出するワークスペース検索ステップ、
前記ワークスペース検索ステップで検出されたワークスペースを統合して協調作業空間を形成すると共に、該協調作業空間、および該協調作業空間上で利用されるコンテンツに対して、前記サービス検索ステップで検出されたサービスを連携して利用可能にするステップをコンピュータに実行させるプログラム。
【手続補正２】
【補正対象書類名】明細書
【補正対象項目名】発明の名称
【補正方法】変更
【補正の内容】
【発明の名称】共同作業空間形成装置およびプログラム
【手続補正３】
【補正対象書類名】明細書
【補正対象項目名】００１３
【補正方法】変更
【補正の内容】
【００１３】
本発明の共同作業空間形成装置は、例えば更に、前記作業空間内のサービスピアおよびワークスペースピアの位置情報を保持するインデクス手段を備えている。本発明によれば、作業空間内に存在するサービスやワークスペースに関する情報を各作業空間単位で一元的に管理するインデクスを設けることによって、各ピアが同一作業空間内に同一時間帯に存在する他のピアに関する情報を効率よく取得できる。
【手続補正４】
【補正対象書類名】明細書
【補正対象項目名】００１４
【補正方法】変更
【補正の内容】
【００１４】
前記連携対象検出手段は、例えば、機器に付与された識別子に基づいて前記ワークスペースピアとなる機器を検出する。本発明によれば、機器に付与された識別子（ＩＤ）に基づいて確実にサービスピアまたはワークスペースピアを検出することができる。
【手続補正５】
【補正対象書類名】明細書
【補正対象項目名】００１５
【補正方法】変更
【補正の内容】
【００１５】
前記連携対象検出手段は、例えば、利用者の生体上の特徴を識別することで前記ワークスペースピアとなる機器を検出する。本発明によれば、利用者の生体上の特徴を識別することで、人間に対応つけられたサービスピアやワークスペースピアを識別することができるため、ＩＤカードや携帯機器を持ち歩く必要がない。
【手続補正６】
【補正対象書類名】明細書
【補正対象項目名】００１６
【補正方法】変更
【補正の内容】
【００１６】
本発明の共同作業空間形成装置は、例えば更に、前記協調作業空間内での活動を時間と場所に対応付けて記録する活動記録手段を備えている。本発明によれば、例えば合成されたワークスペース内で共有された文書群を、そのときの日時、作業空間、共同作業者に対応付けて記録しておき、後で、それら設定された対応関係をたどることによって、共有された文書や参加者のプロファイル等を連想的にアクセスすることができる。
【手続補正７】
【補正対象書類名】明細書
【補正対象項目名】００１７
【補正方法】変更
【補正の内容】
【００１７】
本発明の共同作業空間形成装置は、例えば更に、前記サービスの接続インタフェースを公開し、ネットワークを介してサービスを提供するサービス提供手段を備えている。本発明によれば、ネットワーク上にサービスの接続インタフェースを公開し、ネットワークを介してサービスを提供することができる。
【手続補正８】
【補正対象書類名】明細書
【補正対象項目名】００１８
【補正方法】変更
【補正の内容】
【００１８】
本発明の共同作業空間形成装置は、例えば更に、文書集合もしくはデスクトップ空間として表現される各ユーザのワークスペースを提供するワークスペース提供手段を備えている。本発明によれば、ネットワークを介して、文書集合もしくはデスクトップ空間として表現される各ユーザの個人ワークスペースを提供することができる。
【手続補正９】
【補正対象書類名】明細書
【補正対象項目名】００１９
【補正方法】変更
【補正の内容】
【００１９】
前記ワークスペース提供手段は、例えば、常時稼動するコンピュータ上で稼動する。ノートＰＣやＰＤＡなどの携帯機器のように電源のＯＮ／ＯＦＦが頻繁にされる機器ではなく、常時稼働する計算機上でピアを動作させることができるようになるため、障害に強く、また、高い計算能力が必要とされるサービスを携帯機器を通じて提供することができる。
【手続補正１０】
【補正対象書類名】明細書
【補正対象項目名】００２０
【補正方法】変更
【補正の内容】
【００２０】
前記ワークスペース提供手段は、例えば、複数のユーザが操作を共有できる共有のデスクトップ環境を提供する。本発明によれば、複数のユーザが操作を共有できる共有のデスクトップ環境を提供することで、共有領域上でのデータと操作を他の作業者との間でリアルタイムに共有することができる。
【手続補正１１】
【補正対象書類名】明細書
【補正対象項目名】００２１
【補正方法】変更
【補正の内容】
【００２１】
前記ワークスペース提供手段は、例えば、複数のユーザがファイルを共有できる共有ファイル集合を提供する。本発明によれば、現実の作業環境上で、複数の利用者が持ち寄った文書群を共有することができる。
【手続補正１２】
【補正対象書類名】明細書
【補正対象項目名】００２２
【補正方法】変更
【補正の内容】
【００２２】
前記サービス提供手段または前記ワークスペース提供手段は、例えば、前記サービスまたは前記ワークスペースの所在を指定されることによって前記サービスまたは前記ワークスペースを識別する。本発明によれば、サービスまたはワークスペースの所在を指定されることによってサービスまたはワークスペースを識別するので、作業空間内にセンサを配置する必要がない。このため、安価な構成が可能になると共に、センサを設置することが難しい場所においても利用することができる。
【手続補正１３】
【補正対象書類名】明細書
【補正対象項目名】００２３
【補正方法】変更
【補正の内容】
【００２３】
前記作業空間内に存在するピアに関する情報は、例えば、各ピア間で共有伝播される。本発明によれば、同じ場所に存在する他の機器の存在を明示的に指定すると、それらのピア間で同じ作業空間内に存在するピアに関する情報が共有伝播され、同じ作業空間内に存在するピア群を認識することができる。これにより、作業空間内にセンサを配置する必要がないため、安価な構成が可能になると共に、センサを設置することが難しい場所においても利用することができる。
【手続補正１４】
【補正対象書類名】明細書
【補正対象項目名】００２４
【補正方法】変更
【補正の内容】
【００２４】
本発明の共同作業空間形成装置は、例えば更に、前記作業空間のコンテクストに応じたアクセス鍵を発行するアクセス鍵発行手段を備えている。本発明によれば、作業空間のコンテクストに対応付けられたアクセス鍵（クレデンシャル）を各サービスに対して発行し、連携関係の設定時に照合することで、例えば連携関係の設定を同一作業空間内（遠隔地間で接続されている場合も含む）に存在するサービスのみに制限し、セキュアな連携をおこなうことができる。作業空間のコンテクストは、同一時間帯と同一の作業空間を含む。
【手続補正１５】
【補正対象書類名】明細書
【補正対象項目名】００２５
【補正方法】変更
【補正の内容】
【００２５】
本発明の共同作業空間形成装置は、例えば更に、前記作業空間の利用に対する予約を行える利用予約手段を備えている。本発明によれば、作業空間の利用に対する予約を行うことで、利用する時間帯と場所を予め予約しておくことによって、予定外のサービスとの間での連携を抑制し、セキュアな連携をおこなうことができる。
【手続補正１６】
【補正対象書類名】明細書
【補正対象項目名】００２６
【補正方法】変更
【補正の内容】
【００２６】
前記協調作業空間形成手段は、例えば、事前に発行されたパスワードに応じて前記サービスを連携する。本発明によれば、事前に発行されたパスワードに応じてサービスを連携することで、予定外のサービスとの間での連携を抑制し、セキュアな連携を行うことができる。
前記協調作業空間形成手段は、例えば、過去の連携履歴に基づいて計算される前記サービス間または前記ワークスペース間の信頼度に基づいて、前記サービスを連携する。本発明によれば、過去の連携履歴に基づいて計算されるサービス間またはワークスペース間の信頼度に応じて、サービスを連携することで、利用者に対して過度な認証処理を必要とさせないようにすることができる。
【手続補正１７】
【補正対象書類名】明細書
【補正対象項目名】００２７
【補正方法】変更
【補正の内容】
【００２７】
前記協調作業空間形成手段は、例えば、過去に連携したサービス提供手段のアドレスに基づいて前記サービスを連携する。本発明によれば、過去に連携したサービス提供手段のアドレスに基づいてサービスを連携することで、作業空間内で頻繁に連携関係が設定されるサービスに関しては、それらを連携時に、毎回、ネットワーク上で検索する必要がなくなるため、高速に連携関係を設定することができる。
【手続補正１８】
【補正対象書類名】明細書
【補正対象項目名】００２８
【補正方法】変更
【補正の内容】
【００２８】
前記協調作業空間形成手段は、例えば、登録されたある時点でのサービス間の連携関係に基づいて、前記サービスの連携関係を再現する。本発明によれば、登録されたある時点でのサービス間の連携関係のスナップショットに基づいて、サービスの連携関係を再現することで、即座に連携関係を設定できる。
【手続補正１９】
【補正対象書類名】明細書
【補正対象項目名】００２９
【補正方法】変更
【補正の内容】
【００２９】
前記協調作業空間形成手段は、例えば、前記作業空間のコンテクストの特徴に対応付けられた過去のサービスの連携関係に基づいてサービスを連携する。本発明によれば、作業空間のコンテクストの特徴に対応付けられた過去のサービスの連携関係に基づいてサービスを連携することで、あるコンテクスト下で頻繁に連携関係が設定されるサービスに関しては、それらを連携時に、毎回、ネットワーク上で検索する必要がなくなるため、高速に連携関係を設定することができる。
【手続補正２０】
【補正対象書類名】明細書
【補正対象項目名】００３０
【補正方法】変更
【補正の内容】
【００３０】
前記協調作業空間形成手段は、例えば、前記作業空間内で提供されるサービスと広域ネットワーク上で提供されているサービスとの連携関係を設定する。本発明によれば、作業空間内で提供されるサービスと広域ネットワーク上で提供されているサービスとの連携関係を設定することで、作業空間内の機器が提供するサービスに限定することなく、インターネット等の広域ネットワーク上に提供されている機器独立のサービスを組み合わせて利用できる。
【手続補正２１】
【補正対象書類名】明細書
【補正対象項目名】００３１
【補正方法】変更
【補正の内容】
【００３１】
前記協調作業空間形成手段は、例えば、広域ネットワーク上に提供されているサービスに対応するコンテクストに応じて、該広域ネットワーク上に提供されているサービスと、前記作業空間内に提供されているサービスとの連携関係を設定する。本発明によれば、広域ネットワーク上に提供されているサービスに対応するコンテクストに応じて、該広域ネットワーク上に提供されているサービスと、作業空間内に提供されているサービスとの連携関係を設定することで、作業コンテクストに応じて利用可能なサービスを提示することができる。これにより、利用者は、膨大なサービスの中から連携サービスを検索する必要が無くなる。
【手続補正２２】
【補正対象書類名】明細書
【補正対象項目名】００３２
【補正方法】変更
【補正の内容】
【００３２】
前記サービス提供手段は、例えば、前記サービスの接続インタフェースを操作対象名と操作名によって指定される形式で保持する。本発明によれば、サービス接続インタフェースを操作対象名と操作名によって指定される形式で保持することで、個々のサービスが提供する内容が統一的な形式で記述されるため、広域かつオープンな環境でのサービス間の連携関係の設定ができる。
【手続補正２３】
【補正対象書類名】明細書
【補正対象項目名】００３３
【補正方法】変更
【補正の内容】
【００３３】
前記サービス提供手段は、例えば、前記サービスの接続インタフェースを、操作対象名と操作名で指定される形式を基本要素として、他のサービスとの関係をタスク／サブタスク関係として記述して保持する。本発明によれば、サービス接続インタフェースを、操作対象名と操作名で指定される形式で保持することで、個々のサービスが提供する内容を統一的な形式で記述することができため、広域かつオープンな環境でのサービス間の連携関係の設定ができる。また、他のサービスとの連携関係をタスク／サブタスク関係として記述することで、連携関係を変更したとしても、他のサービスとの連携関係に大きな影響を及ぼすことはない。
【手続補正２４】
【補正対象書類名】明細書
【補正対象項目名】００３４
【補正方法】変更
【補正の内容】
【００３４】
前記サービス提供手段は、例えば、前記操作対象名と前記操作名をそれぞれの概念の抽象度に応じた階層関係で規定している。本発明によれば、操作対象名と操作名をそれぞれの概念の抽象度に応じた階層関係で規定することで、サービスを連携する際、連携候補をさまざまな抽象レベルで選択することができる。
【手続補正２５】
【補正対象書類名】明細書
【補正対象項目名】００３５
【補正方法】変更
【補正の内容】
【００３５】
前記協調作業空間形成手段は、例えば、第１のサービスの出力操作対象名と第１のサービスとは異なる第２のサービスの入力操作対象名を照合して前記サービスの連携関係を設定する。本発明によれば、第１のサービスの出力操作対象名と第２のサービスの入力操作対象名を照合してサービス間の連携関係を設定することで、他のサービスと連携した新たなサービスの導出を自動的におこなうことができる。
【手続補正２６】
【補正対象書類名】明細書
【補正対象項目名】００３６
【補正方法】変更
【補正の内容】
【００３６】
本発明の共同作業空間形成装置は、例えば、更に、前記作業空間とは異なる地点に存在する作業空間との接続関係を仲介する作業空間接続手段を備えている。本発明によれば、作業空間とは異なる地点に存在する作業空間との接続関係を仲介することで、遠隔地に存在する複数の作業空間を結んで、仮想的にひとつの作業空間を形成することができる。これにより、あたかも同じ作業空間に存在しているような感覚で、当該作業空間内で認識されるサービスを連携・統合することができる。
【手続補正２７】
【補正対象書類名】明細書
【補正対象項目名】００３７
【補正方法】変更
【補正の内容】
【００３７】
本発明の共同作業空間形成装置は、例えば、更に、各作業空間に関する情報をエリア別に保持し各作業空間に関する情報を要求に応じて提供する情報提供手段を備えている。本発明によれば、エリア内の作業空間に関する情報を保持することで、遠隔地に存在する複数の作業空間を結んで、仮想的にひとつの作業空間を形成することができる。これにより、あたかも同じ作業空間に存在しているような感覚で、当該作業空間内で認識されるサービスを連携することができる。
【手続補正２８】
【補正対象書類名】明細書
【補正対象項目名】００３８
【補正方法】変更
【補正の内容】
【００３８】
前記協調作業空間形成手段は、例えば、所定のコミュニケーションシステムと連動し、該コミュニケーションシステムでの通信が開始した時点で、接続先の作業空間との間で、前記サービスまたは前記ワークスペースに関する識別情報を交換し、前記サービスまたは前記ワークスペースを同じ作業空間内に存在するものとして連携する。
【手続補正２９】
【補正対象書類名】明細書
【補正対象項目名】００４０
【補正方法】変更
【補正の内容】
【００４０】
前記作業空間接続手段は、例えば、過去の接続先の履歴に基づいて、接続先候補を表示させるための情報を生成する。本発明によれば、過去の接続先の履歴に基づいて、接続先候補を表示することで、利用者は接続先となる接続ポイントの名前やアドレスを調べることなく、共同作業の頻度の頻度の多い作業空間については、即座に指定することができる。
【手続補正３０】
【補正対象書類名】明細書
【補正対象項目名】００４１
【補正方法】変更
【補正の内容】
【００４１】
前記作業空間接続手段は、例えば、過去の共同作業履歴から求めた利用者の関係強度に基づいて、接続先の作業空間を指定するための表示情報を生成する。本発明によれば、過去の共同作業履歴から求めた利用者の関係強度に基づいて、接続先作業空間を指定するための表示情報を生成することで、利用者は接続先となる接続ポイントの名前やアドレスを調べることなく、接続先となる作業空間を関係強度に基づいて即座に指定することができる。
【手続補正３１】
【補正対象書類名】明細書
【補正対象項目名】００４２
【補正方法】変更
【補正の内容】
【００４２】
前記サービス提供手段は、例えば、前記作業空間内に設置されている機器が提供するサービスの接続インタフェースを取得してサービスの連携関係を予め設定しておき、利用時に登録しておいた連携サービスを呼び出すようにしている。本発明によれば、作業空間内に設置されている機器が提供するサービスの接続インタフェースを取得してサービスの連携関係を予め設定しておき、利用時に登録しておいた連携サービスを呼び出すことで、事前に作業空間に出向くことなく、予定している作業空間内で利用するサービスの連携関係を予め設定しておき、利用時に、登録しておいた連携サービスを呼び出すことができる。
【手続補正３２】
【補正対象書類名】明細書
【補正対象項目名】００４３
【補正方法】変更
【補正の内容】
【００４３】
前記サービス提供手段は、例えば、サービスを提供する他のサービス提供手段から作業空間内で提供されるサービスに関する情報を取得する。本発明によれば、サービスを提供する他のサービス提供手段から作業空間内で提供されるサービスに関する情報を取得することで、事前に作業空間に出向いて接続関係を確認することなく、予定している作業空間内で利用するサービスの連携関係を予めシミュレートして確認しておくことができる。初めて利用する遠隔地の作業空間に設置されている機器が提供するサービスとの連携関係を確認するような場合に有効である。
【手続補正３３】
【補正対象書類名】明細書
【補正対象項目名】００４４
【補正方法】変更
【補正の内容】
【００４４】
本発明の共同作業空間形成装置は、例えば、更に、各作業空間ごとに、各作業空間内でのみ利用可能な作業空間固有のサービスを保持するサービス保持手段を有し、前記協調作業空間形成手段は、前記サービス検索手段によって検索されたサービスと前記サービス保持手段に予め登録されているサービス群を連携対象としてサービスを連携する。
【手続補正３４】
【補正対象書類名】明細書
【補正対象項目名】００４６
【補正方法】変更
【補正の内容】
【００４６】
本発明は、例えば、前記サービス提供手段は、ネットワーク上に新たに提供されたサービスに関する情報を他のサービス提供手段との間で相互に伝播して保持する。本発明によれば、ネットワーク上に新たに提供されたサービスに関する情報を、他のサービス提供手段との間で相互に伝播して保持することで、利用者が明示的にサービスを機器上にインストールしなくても、ネットワークに接続するだけで、当該機器を利用して実行すべきサービスが利用できる。
【手続補正３５】
【補正対象書類名】明細書
【補正対象項目名】００４７
【補正方法】変更
【補正の内容】
【００４７】
本発明の共同作業空間形成装置は、例えば更に、前記サービス提供手段が提供したサービスに関する情報を保持するサービス保持手段を備え、前記サービス検索手段は、ネットワーク上のサービスを検索する前に、前記サービス保持手段が保持するサービスに関する情報を参照する。本発明によれば、ネットワーク上のサービスを検索する前に、サービス保持手段が保持するサービスに関する情報を参照することで、機器上で頻繁に実行されるサービスについては、ネットワーク上を検索してロードすることなく、実行要求が生じた際に、即時、実行させることができる。また、利用頻度の低いサービスを機器上から自動的に消去して、利用時にのみネットワーク上からロードされるようにできる。
【手続補正３６】
【補正対象書類名】明細書
【補正対象項目名】００４８
【補正方法】変更
【補正の内容】
【００４８】
前記協調作業空間形成手段は、例えば、連携されたサービスをカスケードメニューの形式で選択可能に表示する。本発明によれば、連携された一連のサービスをカスケードメニューの形式で選択可能に表示することで、連携されたサービスの組み合わせを選択する際に、カスケードメニューとしてサービスの連携関係を表示して利用者に選択させる。これにより、サービス連携の多数の組み合わせが存在する場合であっても、利用者にとって必要なサービスを選択することができる。
【手続補正３７】
【補正対象書類名】明細書
【補正対象項目名】００４９
【補正方法】変更
【補正の内容】
【００４９】
前記協調作業空間形成手段は、例えば、連携されたサービスの位置関係を前記作業空間の俯瞰図上に選択可能に表示する。本発明によれば、連携された一連のサービスの位置関係を前記作業空間の俯瞰図上に選択可能に表示することで、連携されたサービスの組み合わせを選択する際に、作業空間のレイアウトを通じて、その作業空間内で利用可能なサービスを対話的に選択できる。これにより、作業空間内の複数の機器によって提供されるサービスの連携関係を作業空間内の位置関係として直感的に把握しながら選択することができる。
【手続補正３８】
【補正対象書類名】明細書
【補正対象項目名】００５０
【補正方法】変更
【補正の内容】
【００５０】
前記サービス提供手段は、例えば、各種機器のタイプに応じたユーザインタフェースを提供する。本発明によれば、各種機器のタイプに応じたユーザインタフェースを提供することで、利用者は、さまざまな種類の機器を通じて均質のサービスを受けることができる。
【手続補正３９】
【補正対象書類名】明細書
【補正対象項目名】００５１
【補正方法】変更
【補正の内容】
【００５１】
前記サービス提供手段は、例えば、前記サービスの役割分担に応じたユーザインタフェースを提供する。本発明によれば、サービスの役割分担に応じたユーザインタフェースを協調作業空間形成手段に提供することで、個々の機器がそれぞれの役割を担いながら、連携して統合的なサービスを利用者に提供することができる。
【手続補正４０】
【補正対象書類名】明細書
【補正対象項目名】００５２
【補正方法】変更
【補正の内容】
【００５２】
前記協調作業空間形成手段は、例えば、複数のサービスを実行する際、同一の機能については同じボタンまたはメニューで実行できるように統合したユーザインタフェースを提供する。本発明によれば、複数のサービスを実行する際、同一の機能については同じボタンまたはメニューで実行できるように統合したユーザインタフェースを提供することで、利用者は、複数のサービスで構成される統合サービスを利用する際、個々のサービス毎にユーザインタフェースを切り替えて利用することなく、複数のサービス群を統合したひとつのユーザインタフェースを通じて操作することができる。
【手続補正４１】
【補正対象書類名】明細書
【補正対象項目名】００５３
【補正方法】変更
【補正の内容】
【００５３】
前記サービス提供手段は、例えば、前記サービス間または前記ワークスペース間で扱うデータを保存するための領域を備えている。本発明によれば、サービス間またはワークスペース間で扱うデータを保存するための領域を備えることで、異なるサービス間で、データのカットやペーストをおこなうことができる。
【手続補正４２】
【補正対象書類名】明細書
【補正対象項目名】００５４
【補正方法】変更
【補正の内容】
【００５４】
前記協調作業空間形成手段は、例えば、作業空間毎に過去に統合したワークスペースピアのアドレスを保持しており、前記ワークスペース提供手段によってワークスペースが認証されると、ネットワーク上を検索する前に、保持されているワークスペースピアのアドレスを調べて連携対象となるワークスペース提供手段のアドレスを調べるようにしている。本発明によれば、サービスを連携する際に、過去に統合したワークスペースピアの情報を参照して連携先を検索することで、作業空間内で頻繁に連携関係が設定されるワークスペースに関しては、それらを連携時に、毎回、ネットワーク上で検索する必要がなくなるため、高速に連携関係を設定することができる。
【手続補正４３】
【補正対象書類名】明細書
【補正対象項目名】００５５
【補正方法】変更
【補正の内容】
【００５５】
前記協調作業空間形成手段は、例えば、コンテクストの特徴に対応付けて過去に連携したサービスおよびワークスペースに関するワークスペースピアのアドレスを保持しており、前記ワークスペース提供手段によってサービスまたはワークスペースが認証されると、ネットワーク上を検索する前に、前記コンテクストの特徴に対応付けられたワークスペースピアのアドレスを調べて連携対象となるワークスペース提供手段のアドレスを調べるようにしている。本発明によれば、コンテクストの特徴に対応付けて過去に連携したサービスおよびワークスペースに関するワークスペースピアのアドレスを保持しており、ワークスペース提供手段によってサービスまたはワークスペースが認証されると、ネットワーク上を検索する前に、コンテクストの特徴に対応付けられたワークスペースピアのアドレスを調べて連携対象となるワークスペース提供手段のアドレスを調べることで、あるコンテクスト下で頻繁に連携関係が設定されるワークスペースに関しては、それらを連携時に、毎回、ネットワーク上で検索する必要がなくなるため、高速に連携関係を設定することができる。
【手続補正４４】
【補正対象書類名】明細書
【補正対象項目名】００５６
【補正方法】変更
【補正の内容】
【００５６】
前記ワークスペース提供手段は、例えば、ワークスペースの接続インタフェースを、映像入出力、音声入出力および操作イベントで構成される入出力チャンネルに関する属性として記述し、前記協調作業空間形成手段は、前記ワークスペースの接続インタフェースに基づいて前記ワークスペースを統合する。本発明によれば、映像入出力、音声入出力および操作イベントで構成される入出力チャンネルに関する属性として記述されたワークスペースの接続インタフェースに基づいてワークスペースを連携することで、ワークスペース上での映像や音声によるコミュニケーションや共同作業空間上での操作イベントを統一的な接続形式に従って接続することで、広域かつオープンな協調作業空間を形成できる。
【手続補正４５】
【補正対象書類名】明細書
【補正対象項目名】００５７
【補正方法】変更
【補正の内容】
【００５７】
前記ワークスペース提供手段は、例えば、前記ワークスペースが作業空間内に存在していた時間帯を、前記ワークスペースのコンテクストの開始および終了時刻として扱う。本発明によれば、ワークスペースが作業空間内に存在していた時間帯を、ワークスペースにとってのコンテクストの開始・終了時刻として扱うことで、ワークスペースが作業空間内に存在していた時間だけがそれぞれにとってのコンテクストとして扱えるため、コンテクストの切り出しを個別に管理でき、長時間の会議の中でメンバが入れ替わるような場合であっても、各利用者は自分に関連する部分のコンテクストだけを切り出して管理することができる。
【手続補正４６】
【補正対象書類名】明細書
【補正対象項目名】００５８
【補正方法】変更
【補正の内容】
【００５８】
前記ワークスペース提供手段は、例えば、複数のワークスペースのうちの最初のワークスペースが作業空間内で認識された時間から、すべてのワークスペースが認識されなくなるまでの時間帯を前記ワークスペースのコンテクストの開始および終了時刻として扱う。本発明によれば、複数のワークスペースのうちの最初のワークスペースが作業空間内で認識された時間から、すべてのワークスペースが認識されなくなるまでの時間帯をワークスペースにとってのコンテクストの開始および終了時刻として扱うことで、利用者は、途中で退出したとしても、他のメンバ全員が退出するまでのコンテクストを共有することができる。
【手続補正４７】
【補正対象書類名】明細書
【補正対象項目名】００５９
【補正方法】変更
【補正の内容】
【００５９】
前記共同作業空間形成装置は、例えば更に、前記作業空間の利用に対する予約を行える利用予約手段を備え、前記ワークスペース提供手段は、前記ワークスペースが前記作業空間内で認識された時間と、前記利用予約手段に登録された時間帯を照合し、参加予定者および検出開始時刻と検出終了時刻差が所定以内の場合は、前記利用予約手段に登録された時間帯を、前記ワークスペースのコンテクストの開始および終了時刻として扱う。本発明によれば、ワークスペースが作業空間内で認識された時間と、利用予約手段に登録された時間帯を照合し、参加予定者および検出開始時刻と検出終了時刻に大きな差が見られず所定以内の場合は、利用予約手段に登録された時間帯を、当該ワークスペースのコンテクストの開始および終了時刻として扱うことで、利用者の入退出時刻に多少の違いがあったとしても、スケジュール表に登録されている時間によって、コンテクストの開始と終了時刻を補正することができる。
【手続補正４８】
【補正対象書類名】明細書
【補正対象項目名】００６０
【補正方法】変更
【補正の内容】
【００６０】
前記ワークスペース提供手段は、例えば、前記作業空間内で認識されるワークスペースに変化が見られた時点を境界として時間帯を切り出し、前記ワークスペースにとってのコンテクストの開始および終了時刻として扱う。本発明によれば、作業空間内で認識されるワークスペースに変化が見られた時点を境界として時間帯を切り出し、当該ワークスペースにとってのコンテクストの開始・終了時刻として扱うことで、連続している会議で一部のメンバが重複しているような場合であっても、参加者のメンバの大部分が入れ替われるような状況が検出できれば、利用者は、作業空間から退出したりすることなく、別のコンテクストとして認識することができる。
【手続補正４９】
【補正対象書類名】明細書
【補正対象項目名】００６１
【補正方法】変更
【補正の内容】
【００６１】
前記ワークスペース提供手段は、例えば、前記作業空間内で認識されるワークスペースを記録するとともに、会議の開始および終了、機器の利用開始および終了並びに参加者のイベントを階層的に構造化し、前記ワークスペースにとってのコンテクストとして保存する。本発明によれば、作業空間内で認識されるワークスペースを記録するとともに、会議の開始および終了、機器の利用開始および終了並びに参加者のイベントを階層的に構造化し、ワークスペースにとってのコンテクストとして保存することで、後でコンテクストの履歴に基づいて共有文書や参加者などを検索する際に、検出された細かいコンテクストの変化を手がかりにして取り出すことができる。
【手続補正５０】
【補正対象書類名】明細書
【補正対象項目名】００６２
【補正方法】変更
【補正の内容】
【００６２】
前記サービス検索手段、例えば、前記ワークスペース検索手段及び前記連携対象検出手段のうちの少なくともいずれか一つは、前記作業空間内で認識される参加者の人数、該参加者の所属組織、該参加者の役職のうちの少なくともいずれか一つから会議のフォーマル度を判別し、コンテクスト情報を構成する付加情報として追加する。本発明によれば、作業空間内で検出される参加者の人数、該参加者の所属組織、該参加者の役職から会議のフォーマル度を判別し、コンテクスト情報を構成する付加情報として追加することで、コンテクスト履歴の中から過去のコンテクストを検索する際に、会議のフォーマル度を利用して検索することができる。
【手続補正５１】
【補正対象書類名】明細書
【補正対象項目名】００６３
【補正方法】変更
【補正の内容】
【００６３】
前記サービス検索手段、例えば、前記ワークスペース検索手段および前記連携対象検出手段のうちの少なくともいずれか一つは、前記作業空間内で検出される日時と開催場所、参加者の人数、該参加者の所属組織および該参加者の役職のうちの少なくともいずれか一つから会議体を判別し、コンテクスト情報を構成する付加情報として追加する。本発明によれば、作業空間内で検出される日時と開催場所、参加者の人数、該参加者の所属組織および該参加者の役職から会議体（経営会議、運営会議など）を判別し、コンテクスト情報を構成する付加情報として追加することで、コンテクスト履歴の中から過去のコンテクストを検索する際に、会議体の名称を利用して検索することができる。
【手続補正５２】
【補正対象書類名】明細書
【補正対象項目名】００６４
【補正方法】変更
【補正の内容】
【００６４】
前記サービス検索手段、例えば、前記ワークスペース検索手段および前記連携対象検出手段のうちの少なくともいずれか一つは、前記作業空間上で認識される情報とコンピュータ上で認識される情報を組み合わせて、活動内容に関するコンテクストを抽出する。本発明によれば、作業空間上で認識される情報と、使用している文書やソフトウエア等のコンピュータ上で認識される情報とを組み合わせて、活動内容に関するコンテクストを抽出する。これにより、コンテクスト履歴の中から過去のコンテクストを検索する際に、現実世界の事象として検出される情報と計算機上での操作によって検出される情報を組み合わせて、より詳細な活動内容を検出し、その結果をコンテクストの検索に利用することができる。
【手続補正５３】
【補正対象書類名】明細書
【補正対象項目名】００６５
【補正方法】変更
【補正の内容】
【００６５】
前記活動記録手段は、例えば、前記作業空間内において、ホワイトボードに書かれた画像、スチルカメラまたはビデオカメラによって撮影された映像およびマイクによって収録された音声のうちの少なくともいずれか一つを、共有のコンテクストに対応付けて記録する。本発明によれば、作業空間内において、ホワイトボードに書かれた画像、スチルカメラまたはビデオカメラによって撮影された映像、マイクによって収録された音声を、共有のコンテクストに対応付けて記録することで、作業空間に設置された機器を用いて新たに生成された情報や、会話などをコンテクストに対応付けて、共有文書として保存し、コンテクスト履歴から検索することによって再利用することができる。
【手続補正５４】
【補正対象書類名】明細書
【補正対象項目名】００６６
【補正方法】変更
【補正の内容】
【００６６】
前記活動記録手段は、例えば、所定の情報処理装置上で編集した文書に対する注釈をコンテクストに対応付けて記録する。本発明によれば、所定の情報処理装置上で編集した文書に対する注釈を個人のコンテクストに対応付けて記録することで、利用者が所持している機器を用いて新たに生成された情報や、会話などをコンテクストに対応付けて、私有文書として保存しておき、再利用することができる。
【手続補正５５】
【補正対象書類名】明細書
【補正対象項目名】００６７
【補正方法】変更
【補正の内容】
【００６７】
前記活動記録手段は、例えば、作業空間内のスキャナでスキャンした文書をコンテクストに対応付けて記録する。本発明によれば、作業空間内のスキャナでスキャンした文書をコンテクストに対応付けて記録することで、スキャナから入力された書籍や書類のスキャンイメージをコンテクストに対応付けて、私有文書として保存することで、コンテクスト履歴から検索することによって再利用することができる。
【手続補正５６】
【補正対象書類名】明細書
【補正対象項目名】００６８
【補正方法】変更
【補正の内容】
【００６８】
前記活動記録手段は、例えば、所定の情報提示装置によって公開される情報をコンテクストに対応付けて記憶する。本発明によれば、作業空間に設置されている情報提示装置によって公開されている情報を私有コンテクストに対応付けて記憶することで、作業空間に設置された情報掲示装置上に表示されている情報をコンテクストに対応付けて、私有文書として保存し、コンテクスト履歴から検索することによって再利用することができる。
【手続補正５７】
【補正対象書類名】明細書
【補正対象項目名】００６９
【補正方法】変更
【補正の内容】
【００６９】
前記活動記録手段は、例えば、紙文書または電子ペーパが前記作業空間内で認識された場合、該紙文書または該電子ペーパに対応する電子文書を前記コンテクストに対応付けて記録する。本発明によれば、紙文書または電子ペーパが作業空間内で認識された場合、紙文書または該電子ペーパに対応する電子文書をコンテクストに対応付けて記録することで、紙文書、または、電子ペーパが作業空間内で認識されることにより、それらに対応した電子文書が、当該コンテクスト下における共有文書として保存され、コンテクスト履歴から検索することによって再利用できる。
【手続補正５８】
【補正対象書類名】明細書
【補正対象項目名】００７０
【補正方法】変更
【補正の内容】
【００７０】
前記協調作業空間形成手段は、例えば、同一コンテクストに存在した利用者またはドキュメントに対して相互に固定的なリンクを設定する。本発明によれば、同一コンテクストに存在した利用者やドキュメントに対して相互に固定的なリンクを設定することで、文書と利用者との間にリンクが自動的に設定されるため、後で、文書をキーにして他の利用者とのコンタクトを促進させることができる。
【手続補正５９】
【補正対象書類名】明細書
【補正対象項目名】００７１
【補正方法】変更
【補正の内容】
【００７１】
前記活動記録手段は、例えば、コンテクスト履歴を検索するためのユーザインタフェースとして、各コンテクスト毎に、前記ワークスペース上で共有した文書のサムネイルを一覧表示するための情報を生成する。本発明によれば、コンテクスト履歴を検索するためのユーザインタフェースとして、各コンテクスト毎に、そのときにワークスペース上で共有した文書のサムネイルを一覧表示することで、コンテクスト履歴の中からアクセスしたいコンテクストを検索する際に、文書のレイアウトから、同一コンテクスト下で使用された文書群を視覚的に想起することを支援できる。
【手続補正６０】
【補正対象書類名】明細書
【補正対象項目名】００７２
【補正方法】変更
【補正の内容】
【００７２】
前記活動記録手段は、例えば、コンテクスト履歴を検索するためのユーザインタフェースとして、各コンテクスト毎に、参加者の顔写真または作業空間内での座席配置を一覧表示するための情報を生成する。本発明によれば、コンテクスト履歴を検索するためのユーザインタフェースとして、各コンテクスト毎に、参加者の顔写真または作業空間内での座席配置を一覧表示することで、コンテクスト履歴の中からアクセスしたいコンテクストを検索する際に、参加者の顔イメージから、目的とするコンテクストを想起することを支援することができる。
【手続補正６１】
【補正対象書類名】明細書
【補正対象項目名】００７３
【補正方法】変更
【補正の内容】
【００７３】
前記活動記録手段は、例えば、コンテクスト履歴を検索するためのユーザインタフェースとして、各コンテクスト毎に、作業がおこなわれた場所の作業空間の写真または作業中に撮影された写真を表示する情報を生成する。本発明によれば、コンテクスト履歴を検索するためのユーザインタフェースとして、各コンテクスト毎に、作業がおこなわれた場所の作業空間の写真または作業中に撮影された写真を表示することで、コンテクスト履歴の中からアクセスしたいコンテクストを検索する際に、作業空間のイメージ画像から、目的とするコンテクストを想起することを支援できる。
【手続補正６２】
【補正対象書類名】明細書
【補正対象項目名】００７４
【補正方法】変更
【補正の内容】
【００７４】
前記活動記録手段は、例えば、コンテクスト履歴を検索するためのユーザインタフェースとして、協調作業時に蓄積されるイベントの集合を階層的な関係として表示閲覧できるようにする検索機能を提供。本発明によれば、コンテクスト履歴を検索するためのユーザインタフェースとして、協調作業時に蓄積されるイベントの集合を階層的な関係として表示閲覧できるようにする検索機能を提供することで、コンテクスト履歴の中からアクセスしたいコンテクストを検索する際に、検出可能な作業中に発生したさまざまなイベントに基づいて、目的とするコンテクストを想起することを支援できる。
【手続補正６３】
【補正対象書類名】明細書
【補正対象項目名】００７５
【補正方法】変更
【補正の内容】
【００７５】
前記活動記録手段は、例えばに、コンテクスト履歴を検索するためのユーザインタフェースとして、作業空間内での参加者の位置または資料を提示した画面の位置を記憶する。本発明によれば、コンテクスト履歴を検索するためのユーザインタフェースとして、作業空間内での参加者の位置または資料を提示した画面の位置を記憶することで、コンテクスト履歴の中からアクセスしたいコンテクストを検索する際に、共同作業時の参加者の席の位置関係や、資料の提示位置などの空間的な位置関係の情報に基づいて、目的とするコンテクストを想起することを支援することができる。
【手続補正６４】
【補正対象書類名】明細書
【補正対象項目名】００７６
【補正方法】変更
【補正の内容】
【００７６】
前記活動記録手段は、例えば、コンテクスト履歴を検索するためのユーザインタフェースとして、コンテクストの履歴をスケジュール表の形式で一覧表示する情報を生成する。本発明によれば、コンテクスト履歴を検索するためのユーザインタフェースとして、コンテクストの履歴をスケジュール表の形式で一覧表示することで、コンテクスト履歴をカレンダーとして時系列的に表示し、利用者の時間的な記憶をもとに、目的とするコンテクストを想起することを支援できる。
【手続補正６５】
【補正対象書類名】明細書
【補正対象項目名】００７７
【補正方法】変更
【補正の内容】
【００７７】
前記活動記録手段は、例えば、前記コンテクストの断片をＨＴＭＬ形式でＷｅｂサーバ上に出力するとともに、前記利用予約手段に、前記コンテクストの日時に該当するスケジュールアイテムとして、当該出力したＨＴＭＬ文書のＵＲＬを登録することを可能にする。本発明によれば、コンテクストの断片をＨＴＭＬ形式でＷｅｂサーバ上に出力するとともに、利用予約手段に、コンテクストの日時に該当するスケジュールアイテムとして、当該出力したＨＴＭＬ文書のＵＲＬを登録することで、現実の作業空間でのコンテクストに関する情報を、既存のスケジュール管理システム上からアクセスすることができるため、利用者は、それまでに利用してきたスケジュール管理システムを別のシステムに切り替えることなく、利用することができる。
【手続補正６６】
【補正対象書類名】明細書
【補正対象項目名】００７８
【補正方法】変更
【補正の内容】
【００７８】
前記活動記録手段は、例えば、文書、利用者および作業空間のうち少なくともいずれかを含む対象毎に該文書、利用者および作業空間が存在していた日時と場所に対応するコンテクストを保持しており、選択された対象に関連するコンテクストの一覧を選択可能に表示する情報を生成する。本発明によれば、文書、利用者および作業空間を含む対象毎に該文書、利用者および作業空間が存在していた日時と場所に対応するコンテクストを保持しており、選択された対象に関連するコンテクストの一覧を選択可能に表示するため、対象に対して付与されたコンテクスト履歴を取り出すことができ、関連する過去の情報を連想的に取り出すことができる。
【手続補正６７】
【補正対象書類名】明細書
【補正対象項目名】００７９
【補正方法】変更
【補正の内容】
【００７９】
前記活動記録手段は、例えば、前記ワークスペース上での利用者間での共同作業の頻度、文書交換の頻度、文書の提供／被提供関係の方向性に基づき、利用者間の関係強度を計算し、該利用者間の関係強度を人的ネットワークのビューとして俯瞰表示するための情報を生成する。本発明によれば、ワークスペース上での利用者間での共同作業の頻度、文書交換の頻度、文書の提供／被提供関係の方向性に基づき、利用者間の関係強度を計算し、この利用者間の関係強度を人的ネットワークのビューとして俯瞰表示することで、利用者間の関係に基づいて組織内の活動状況を把握し、組織全体が保持管理する記憶として情報資源の再利用を促進することができる。
【手続補正６８】
【補正対象書類名】明細書
【補正対象項目名】００８０
【補正方法】変更
【補正の内容】
【００８０】
前記活動記録手段は、例えば、各コンテクスト内で扱われた文書群に含まれるキーワード集合に基づいてコンテクスト間の類似度の距離を求め俯瞰表示するための情報を生成する。本発明によれば、各コンテクスト内で扱われた文書群に含まれるキーワード集合に基づいてコンテクスト間の類似度の距離を求め俯瞰表示することで、文書間の類似性に基づいて組織内における同様の活動をおこなっている活動に関する状況を把握し、組織全体が保持管理する記憶として情報資源の再利用を促進することができる。
【手続補正６９】
【補正対象書類名】明細書
【補正対象項目名】００８１
【補正方法】変更
【補正の内容】
【００８１】
前記活動記録手段は、例えば、前記コンテクストの断片をＨＴＭＬ形式でＷｅｂサーバ上に出力するとともに、所定のコンテクストをブックマークの集合として記録する。本発明によれば、コンテクストの断片をＨＴＭＬ形式でＷｅｂサーバ上に出力するとともに、重要なコンテクストをブックマークの集合として記録することで、コンテクスト履歴に記録・保存されるコンテクストの中で、頻繁に参照されるコンテクストを、簡便な操作によって呼び出し、当該コンテクストに関する情報をアクセスすることができる。
【手続補正７０】
【補正対象書類名】明細書
【補正対象項目名】００８２
【補正方法】変更
【補正の内容】
【００８２】
前記活動記録手段は、例えば、前記コンテクストの断片をＨＴＭＬ形式でＷｅｂサーバ上に出力するとともに、書き込み可能なＩＤを備えた電子ペーパまたは紙文書のＩＤに対して、該Ｗｅｂサーバ上に出力されたコンテクストの断片のアドレスを対応付ける。本発明によれば、コンテクストの断片をＨＴＭＬ形式でＷｅｂサーバ上に出力するとともに、書き込み可能なＩＤを備えた電子ペーパや紙文書のＩＤに対して、当該サーバ上に出力されたコンテクストの断片のアドレスを対応付けることで、コンテクスト履歴に記録・保存されるコンテクストの中で、頻繁に参照されるコンテクストを、消費電力が不要な印刷物の形で持ち歩いたり、紙文書の持つ閲覧性を利用して即座に目的とするコンテクストを特定できるようにすることに加え、当該コンテクストに関する情報を即座にアクセスすることができる。
【手続補正７１】
【補正対象書類名】明細書
【補正対象項目名】００８３
【補正方法】変更
【補正の内容】
【００８３】
前記活動記録手段は、例えば、利用者が置かれた現在のコンテクストにおける利用者の集合、または、共有文書から抽出される特徴量、作業場所および日時のうちの少なくともいずれか一つに基づいて、コンテクストを一覧する表示するための情報を生成する。本発明によれば、利用者が置かれた現在のコンテクスト（時刻と場所）における利用者の集合、または、共有文書から抽出される特徴量（キーワード等）、作業場所および日時のうちの少なくともいずれか一つに基づいて、コンテクストを一覧する表示することで、カレントと同じ状況の過去のコンテクストを容易にアクセスできるため、定例で同じ時間帯に同様のメンバでおこなっている会議などの場合、以前の会議に関するコンテクストを、検索することなく、即座に取り出すことができる。
【手続補正７２】
【補正対象書類名】明細書
【補正対象項目名】００８４
【補正方法】変更
【補正の内容】
【００８４】
前記活動記録手段は、例えば、コンテクストの断片をＨＴＭＬ形式でＷｅｂサーバ上に出力するとともに、該コンテクストの断片のアドレスを電子メールシステムの電子メールとして送受信して交換できるようにする。本発明によれば、コンテクストの断片をＨＴＭＬ形式でＷｅｂサーバ上に出力するとともに、そのコンテクストの断片のアドレスを電子メールシステムの電子メールとして送受信して交換できるようにすることで、該当コンテクスト下での作業に参加しなかった利用者も含め、多くの利用者間で、当該コンテクストに関する情報を交換し、アクセスすることができる。
【手続補正７３】
【補正対象書類名】明細書
【補正対象項目名】００８５
【補正方法】変更
【補正の内容】
【００８５】
前記活動記録手段は、請求項７３に記載のように、コンテクスト履歴上に保存されているコンテクストに対応付けて、掲示板システムまたは非同期型の議論システムのディスカッションスレッドを生成する。本発明によれば、コンテクスト履歴上に保存されているコンテクストに対応つけて、掲示板システムまたは非同期型の議論システムのディスカッションスレッドを生成することで、リアルタイムでおこなった議論の後で、非同期的に議論をおこなってフォローアップしたり、議事録や関連資料を追加することができる。
【手続補正７４】
【補正対象書類名】明細書
【補正対象項目名】００８６
【補正方法】変更
【補正の内容】
【００８６】
前記活動記録手段は、例えば、コンテクスト履歴上に保存されている過去の任意のコンテクストに関して、参加ユーザと、当該参加ユーザへのコミュニケーション手段を対応付ける。本発明によれば、コンテクスト履歴上に保存されている過去の任意のコンテクストに関して、参加ユーザと、当該参加ユーザへのコミュニケーション手段を対応付けることで、参加ユーザを指定することにより、自動的に電子メールシステムのメールシートがオープンし、電子メールを送信することを可能にしたり、自動的に電話をかけて会話することができる。
【手続補正７５】
【補正対象書類名】明細書
【補正対象項目名】００８７
【補正方法】変更
【補正の内容】
【００８７】
前記活動記録手段は、例えば、予め登録した利用者の集合、または、関連性の高い利用者の集合に関して、利用者が置かれた現在のコンテクストに関する情報を表示する情報を生成する。本発明によれば、予め登録した利用者の集合、または、関連性の高い利用者の集合に関して、利用者が置かれた現在のコンテクストに関する情報を、常時、またはコンテクストに変化があった場合に表示することで、利用者が関連するメンバに関する、現在の仕事の状況に関するアウェアネス（気付き）を得ることができる。
【手続補正７６】
【補正対象書類名】明細書
【補正対象項目名】００８８
【補正方法】変更
【補正の内容】
【００８８】
前記活動記録手段は、例えば、前記コンテクストに応じて、利用者が所持している携帯電話の留守番電話モードの設定を変更するための情報を生成する。本発明によれば、コンテクストに応じて、利用者が所持している携帯電話を留守番電話モードに自動的に設定したり解除したりすることで、会議中のような場合、電話によって会議がインタラプトされることを防ぐことができる。
【手続補正７７】
【補正対象書類名】明細書
【補正対象項目名】００８９
【補正方法】変更
【補正の内容】
【００８９】
前記活動記録手段は、例えば、同じグループのメンバと現在の自分の活動パターンに不一致が生じた場合に、アラームを警告するための情報を生成する。本発明によれば、前記活動記録手段は、同じグループのメンバと現在の自分の活動パターンに不一致が生じた場合に、アラームを警告することで、例えば参加すべき会議を忘れていた場合など、利用者に注意を促すことができる。
【手続補正７８】
【補正対象書類名】明細書
【補正対象項目名】００９０
【補正方法】変更
【補正の内容】
【００９０】
前記活動記録手段は、例えば、各コンテクストで共有された文書群からキーワードによる特徴量を抽出し、時系列的なキーワード集合の遷移ベクトルを形成し、複数のコンテクスト間で比較する。本発明によれば、各コンテクストで共有された文書群からキーワードによる特徴量を抽出し、時系列的なキーワード集合の遷移ベクトルを形成し、複数のコンテクスト間で比較することで、同様の内容を扱っている他のメンバの存在についての気付きを得ることができる。
【手続補正７９】
【補正対象書類名】明細書
【補正対象項目名】００９１
【補正方法】変更
【補正の内容】
【００９１】
請求項７９に記載のように、前記サービス提供手段または前記ワークスペース提供手段は、前記サービスまたは前記ワークスペースをネットワーク上に公開する際の公開範囲を予め利用者の集合として指定し、当該指定された利用者にのみ利用を制限する。本発明によれば、前サービスまたはワークスペースをネットワーク上に公開する際の公開範囲を予め利用者の集合として指定し、当該指定された利用者にのみ利用を制限することで、利用者個人の所在や活動に関する情報が、不特定多数の利用者や想定外の利用者によってアクセスされ、プライバシが侵害されることを防ぐことができる。
【手続補正８０】
【補正対象書類名】明細書
【補正対象項目名】００９２
【補正方法】変更
【補正の内容】
【００９２】
前記サービス提供手段または前記ワークスペース提供手段は、例えば、前記サービスまたは前記ワークスペースに対してアクセスした利用者の情報を表示するための情報を生成する。本発明によれば、サービスまたはワークスペースに対してアクセスした利用者の情報を履歴として保持し、利用者が必要とする時点でアクセス記録を閲覧、または、リアルタイムに表示することで、利用者が提供・開示した情報が、想定外の利用者によってアクセスされていないかどうかを知ることができる。また、開示範囲をある程度把握することができる。
【手続補正８１】
【補正対象書類名】明細書
【補正対象項目名】００９３
【補正方法】削除
【補正の内容】
【手続補正８２】
【補正対象書類名】明細書
【補正対象項目名】００９４
【補正方法】変更
【補正の内容】
【００９４】
本発明は、請求項２に記載のように、ハイブリッドピア・ツー・ピアネットワークによる通信を行うワークスペースピアまたはサービスピアの検出情報を取得するステップ、同一時間帯かつ同一作業空間内に存在すると認識されるサービスを検出するサービス検索ステップ、同一時間帯かつ同一作業空間内に存在すると認識されるワークスペースを検出するワークスペース検索ステップ、前記ワークスペース検索ステップで検出されたワークスペースを統合して協調作業空間を形成すると共に、該協調作業空間、および、該協調作業空間上で利用されるコンテンツ（文書、画像、映像等）に対して、前記サービス検索ステップで検出されたサービスを連携して利用可能にするステップをコンピュータに実行させるプログラムである。
【手続補正８３】
【補正対象書類名】明細書
【補正対象項目名】００９５
【補正方法】変更
【補正の内容】
【００９５】
本発明によれば、利用者や端末を予め登録することなく、構造化文書を提供できる情報処理装置およびプログラムを提供することができる。